(57)【要約】【課題】  未記録ディスクに対するフォーカスバランス調整において、光ディスク上にデータが記録されていなくともフォーカスバランス調整を行い、高品質のデータを記録すること。【解決手段】  再生信号以外に光ディスクより得られる信号として、照射されたレーザー光の焦点が光ディスク１に合っている時に検出され、焦点が合ってないときには検出されないトラッキング位置誤差信号を用い、生成されたトラッキング位置誤差信号の振幅レベルを検出する最大振幅測定手段７を設け、トラッキング位置誤差信号の振幅が最大になるように未記録ディスクのフォーカスバランス調整を行う。【選択図】  図１
2005166080.tif 000002
【特許請求の範囲】
【請求項１】
光ディスクからの反射光量を加算あるいは減算することで生成され光ディスクの半径方向の制御に使用される第１の反射光量信号を出力するトラッキング位置誤差信号生成手段と、
前記第１の反射光量信号の振幅を測定する振幅測定手段と、
前記振幅検出手段において得られた振幅が最大になるように、前記光ディスクからの反射光量を加算あるいは減算することで生成され、光ディスクの垂直方向の制御に使用される第２の反射光量信号のバランスを調整する手段と、
を備えたことを特徴とする光ディスク装置。
【請求項２】
請求項１記載の光ディスク装置において、
前記振幅測定手段は、
前記光ディスクの１回転以上回転中の最大値と最小値により前記第１の反射光量信号の最大振幅を測定する、
ことを特徴とする光ディスク装置。
【請求項３】
請求項１記載の光ディスク装置において、
前記振幅測定手段は、
前記光ディスクの１回転以上回転中に、光ディスクの１回転毎の最大値と最小値を求め、それぞれの平均値により前記第１の反射光量信号の最大振幅を測定する、
ことを特徴とする光ディスク装置。
【請求項４】
請求項１記載の光ディスク装置において、
前記光ディスクからの反射光に基づいて、レーザスポットが前記光ディスクのトラックを横切る際に生成されるトラック横断信号を生成するトラック横断信号生成手段を備え、
前記振幅測定手段は、
前記トラック横断信号生成手段の出力を受け、１本以上のトラック横断時の最大値と最小値により前記第１の反射光量信号の最大振幅を測定する、
ことを特徴とする光ディスク装置。
【請求項５】
請求項１記載の光ディスク装置において、
前記光ディスクからの反射光に基づいて、レーザスポットが前記光ディスクのトラックを横切る際に生成されるトラック横断信号を生成するトラック横断信号生成手段を備え、
前記振幅測定手段は、
前記トラック横断信号生成手段の出力を受け、１本以上のトラック横断時にトラック１本毎の最大値と最小値を求め、ぞれぞれの平均値から前記第１の反射光量信号の最大振幅を測定する、
ことを特徴とする光ディスク装置。
【請求項６】
請求項１記載の光ディスク装置において、
前記光ディスクからの反射光に基づいて、レーザスポットが前記光ディスクのトラックを横切る際に生成されるトラック横断信号を生成するトラック横断信号生成手段と、
前記トラック横断信号の周波数を検出するトラック横断信号周波数検出手段と、
前記トラック横断信号周波数検出手段により検出されたトラック横断信号の検出周波数を出力する際の所定の周波数範囲を設定する周波数設定手段と、を備え、
前記振幅測定手段は、
前記周波数設定手段により設定された所定の周波数範囲におけるトラック横断信号の検出周波数を受け、該所定の周波数範囲にある場合の、前記第１の反射光量信号の最大値と最小値から前記第１の反射光量信号の最大振幅を測定する、
ことを特徴とする光ディスク装置。
【請求項７】
請求項１記載の光ディスク装置において、
前記光ディスクからの反射光に基づいて、レーザスポットが前記光ディスクのトラックを横切る際に生成されるトラック横断信号を生成するトラック横断信号生成手段と、
前記トラック横断信号の周波数を検出するトラック横断信号周波数検出手段と、
前記トラック横断信号周波数検出手段により検出されたトラック横断信号の検出周波数を出力する際の所定の周波数範囲を設定する周波数設定手段と、を備え、
前記振幅測定手段は、
前記周波数設定手段により設定された所定の周波数範囲におけるトラック横断信号の検出周波数を受け、該所定の周波数範囲にある場合の、前記第１の反射光量信号の最大値と最小値を複数回求め、それぞれの平均値により前記第１の反射光量信号の最大振幅を測定する、
ことを特徴とする光ディスク装置。
【請求項８】
請求項１記載の光ディスク装置において、
前記振幅測定手段は、
設定された任意の時間内の最大値と最小値により前記第１の反射光量信号の最大振幅を測定する、
ことを特徴とする光ディスク装置。
【請求項９】
請求項１から８のいずれかに記載の光ディスク装置において、
前記光ディスクからの反射光量を加算することで全反射光量信号を生成する全反射光量信号生成手段を備え、
前記振幅測定手段は、
前記全反射光量信号が、ある一定レベル以上になっている時に前記第１の反射光量信号の振幅測定を行う、
ことを特徴とする光ディスク装置。
【発明の詳細な説明】
【技術分野】
【０００１】
本発明は光ディスク装置に関し、特に未記録の光ディスクに対するフォーカスバランス調整の改善を図ったものに関するものである。
【背景技術】
【０００２】
すでにデータが記録されている光ディスクでは、フォーカスバランス調整方法として、光ディスクより得られる再生信号を利用するなどにより、高精度にフォーカスバランス調整を行っている。前記調整により再生信号の信号品質を向上させることができる。
【０００３】
しかしながら、データが記録されていない光ディスク（未記録ディスク）では、光ディスクより再生信号を得ることができないため、前記バランス調整方法を行うことができない。そのため未記録ディスクに対するフォーカスバランス調整方法として、下記の方法が考案されている。
【０００４】
一般に未記録ディスクでは、記録トラックを構成する案内溝が所定周期で蛇行しており、その蛇行成分がフォーカスバランス値によって変動すること、および、記録信号のジッタが最小となる時のフォーカスバランス値と、蛇行周期成分が最小となる時のフォーカスバランス値とがほぼ一致することを実験的に求め、蛇行成分によるフォーカスバランス調整を行っている。（例えば、特許文献１参照）
【０００５】
また、バランス調整は行っていないが、未記録ディスクに対してフォーカス調整を行う方法として、下記の方法が考案されている。フォーカスゼロクロス点（フォーカス合致点）を検索することによりフォーカス調整を行う方法であり、フォーカスゼロクロス点の検索の時間を短縮するために、まず比較的速い速度で光ヘッドを動かしてトラッキングエラー信号を検出し、その近辺で光ヘッドをゆっくりと動かしフォーカスゼロクロス点を検索する方法を用いている（例えば、特許文献２参照）。
【特許文献１】特開２００２−２６９７７３号公報
【特許文献２】特開平５−３２５１９９号公報
【発明の開示】
【発明が解決しようとする課題】
【０００６】
従来の光ディスク装置は以上のように構成されており、未記録ディスクに対するフォーカスバランス調整では、光ディスク上にデータが記録されておらず、再生信号を使用したフォーカスバランス調整ができないため、高品質のデータを記録することができないため、前記特許文献１による蛇行成分によりフォーカスバランス調整を行う方法を用いることで、未記録ディスクに対するフォーカスバランス調整を可能とし、高品質なデータの記録を行うことができるものであるが、蛇行周期成分の検出を行う回路が別途必要であり、回路規模が増大するという問題点があった。
【０００７】
この発明は以上のような問題点を解消するためになされたもので、回路規模を増大することなく、高精度なフォーカスバランス調整を行う光ディスク装置を提供することを目的とする。
【課題を解決するための手段】
【０００８】
本発明（請求項１）にかかる光ディスク装置は、光ディスクからの反射光量を加算あるいは減算することで生成され光ディスクの半径方向の制御に使用される第１の反射光量信号を出力するトラッキング位置誤差信号生成手段と、前記第１の反射光量信号の振幅を測定する振幅測定手段と、前記振幅検出手段において得られた振幅が最大になるように、前記光ディスクからの反射光量を加算あるいは減算することで生成され、光ディスクの垂直方向の制御に使用される第２の反射光量信号のバランスを調整する手段と、を備えたものである。
【０００９】
本発明（請求項２）にかかる光ディスク装置は、請求項１記載の光ディスク装置において、前記振幅測定手段は、前記光ディスクの１回転以上回転中の最大値と最小値から前記第１の反射光量信号の最大振幅を測定するものである。
【００１０】
本発明（請求項３）にかかる光ディスク装置は、請求項１記載の光ディスク装置において、前記振幅測定手段は、前記光ディスクの１回転以上回転中に、光ディスクの１回転毎の最大値と最小値を求め、ぞれぞれの平均値により前記第１の反射光量信号の最大振幅を測定するものである。
【００１１】
本発明（請求項４）にかかる光ディスク装置は、請求項１記載の光ディスク装置において、前記光ディスクからの反射光に基づいて、レーザスポットが前記光ディスクのトラックを横切る際に生成されるトラック横断信号を生成するトラック横断信号生成手段を備え、前記振幅測定手段は、前記トラック横断信号生成手段の出力を受け、１本以上のトラック横断時の最大値と最小値により前記第１の反射光量信号の最大振幅を測定するものである。
【００１２】
本発明（請求項５）にかかる光ディスク装置は、請求項１記載の光ディスク装置において、前記光ディスクからの反射光に基づいて、レーザスポットが前記光ディスクのトラックを横切る際に生成されるトラック横断信号を生成するトラック横断信号生成手段を備え、前記振幅測定手段は、前記トラック横断信号生成手段の出力を受け、１本以上のトラック横断時にトラック１本毎の最大値と最小値を求め、それぞれの平均値により前記第１の反射光量信号の最大振幅を測定するものである。
【００１３】
本発明（請求項６）にかかる光ディスク装置は、請求項１記載の光ディスク装置において、前記光ディスクからの反射光に基づいて、レーザスポットが前記光ディスクのトラックを横切る際に生成されるトラック横断信号を生成するトラック横断信号生成手段と、前記トラック横断信号の周波数を検出するトラック横断信号周波数検出手段と、前記トラック横断信号周波数検出手段により検出されたトラック横断信号の検出周波数を出力する際の所定の周波数範囲を設定する周波数設定手段と、を備え、前記振幅測定手段は、前記周波数設定手段により設定された所定の周波数範囲におけるトラック横断信号の検出周波数を受け、該所定の周波数範囲にある場合の、前記第１の反射光量信号の最大値と最小値により前記第１の反射光量信号の最大振幅を測定するものである。
【００１４】
本発明（請求項７）にかかる光ディスク装置は、請求項１記載の光ディスク装置において、前記光ディスクからの反射光に基づいて、レーザスポットが前記光ディスクのトラックを横切る際に生成されるトラック横断信号を生成するトラック横断信号生成手段と、前記トラック横断信号の周波数を検出するトラック横断信号周波数検出手段と、前記トラック横断信号周波数検出手段により検出されたトラック横断信号の検出周波数を出力する際の所定の周波数範囲を設定する周波数設定手段と、を備え、前記振幅測定手段は、前記周波数設定手段により設定された所定の周波数範囲におけるトラック横断信号の検出周波数を受け、該所定の周波数範囲にある場合の、前記第１の反射光量信号の最大値と最小値を複数回求め、それぞれの平均値により前記第１の反射光量信号の最大振幅を測定するものである。
【００１５】
本発明（請求項８）にかかる光ディスク装置は、請求項１記載の光ディスク装置において、前記振幅測定手段は、設定された任意の時間内の最大値と最小値から前記第１の反射光量信号の最大振幅を測定するものである。
【００１６】
本発明（請求項９）にかかる光ディスク装置は、請求項１から８のいずれかに記載の光ディスク装置において、前記光ディスクからの反射光量を加算することで全反射光量信号を生成する全反射光量信号生成手段を備え、前記振幅測定手段は、前記全反射光量信号が、ある一定レベル以上になっている時に前記第１の反射光量信号の振幅測定を行うものである。
【発明の効果】
【００１７】
本発明（請求項１）にかかる光ディスク装置によれば、光ディスクからの反射光量を加算あるいは減算することで生成され光ディスクの半径方向の制御に使用される第１の反射光量信号を出力するトラッキング位置誤差信号生成手段と、前記第１の反射光量信号の振幅を測定する振幅測定手段と、前記振幅検出手段において得られた振幅が最大になるように、前記光ディスクからの反射光量を加算あるいは減算することで生成され、光ディスクの垂直方向の制御に使用される第２の反射光量信号のバランスを調整する手段と、を備え、トラッキング誤差位置信号を利用し、該信号の振幅を検出してフォーカスバランス調整を行うようにするようにしたので、精度良く光ディスクへのデータ記録を行うことができ、また、未記録ディスクに対するフォーカスバランス調整を簡素な構成で実施できるためコストを抑えることができるという効果が得られる。
【００１８】
また、本発明（請求項２）にかかる光ディスク装置によれば、請求項１記載の光ディスク装置において、前記振幅測定手段は、前記光ディスクの１回転以上回転中の最大値と最小値により前記第１の反射光量信号の最大振幅を測定するものとしたので、ディスク回転信号を基にトラッキング位置誤差信号の振幅を検出して、フォーカスバランス調整を行うことにより、精度良く光ディスクへのデータ記録を行うことができ、また、未記録ディスクに対するフォーカスバランス調整を簡素な構成で実施できるためコストを抑えることができるという効果が得られる。
【００１９】
また、本発明（請求項３）にかかる光ディスク装置によれば、請求項１記載の光ディスク装置において、前記振幅測定手段は、前記光ディスクの１回転以上回転中に、光ディスクの１回転毎の最大値の平均値と最小値の平均値を求め、それぞれの平均値により前記第１の反射光量信号の最大振幅を測定するようにしたので、トラッキング誤差位置信号にノイズが乗った場合にも該ノイズの影響を受けにくくすることができ、安定してトラッキング誤差位置信号の振幅の測定が行えるため、精度よくフォーカスバランス調整を行うことができる効果が得られる。
【００２０】
また、本発明（請求項４）にかかる光ディスク装置によれば、請求項１記載の光ディスク装置において、前記光ディスクからの反射光に基づいて、レーザスポットが前記光ディスクのトラックを横切る際に生成されるトラック横断信号を生成するトラック横断信号生成手段を備え、前記振幅測定手段は、前記トラック横断信号生成手段の出力を受け、１本以上のトラック横断時の最大値と最小値により前記第１の反射光量信号の最大振幅を測定するものとしたので、トラック横断信号を基にトラッキング位置誤差信号の振幅を検出して、フォーカスバランス調整を行うことにより、精度良く光ディスクへのデータ記録を行うことができ、また、未記録ディスクに対するフォーカスバランス調整を簡素な構成で実施できるためコストを抑えることができるという効果が得られる。
【００２１】
また、本発明（請求項５）にかかる光ディスク装置によれば、請求項１記載の光ディスク装置において、前記光ディスクからの反射光に基づいて、レーザスポットが前記光ディスクのトラックを横切る際に生成されるトラック横断信号を生成するトラック横断信号生成手段を備え、前記振幅測定手段は、前記トラック横断信号生成手段の出力を受け、１本以上のトラック横断時にトラック１本毎の最大値と最小値を求め、それぞれの平均値により振幅を前記第１の反射光量信号の最大測定するものとしたので、トラッキング誤差位置信号にノイズが乗った場合にも該ノイズの影響を受けにくくすることができ、安定してトラッキング誤差位置信号の振幅の測定が行えるため、精度よくフォーカスバランス調整を行うことができる効果が得られる。
【００２２】
また、本発明（請求項６）にかかる光ディスク装置によれば、請求項１記載の光ディスク装置において、前記光ディスクからの反射光に基づいて、レーザスポットが前記光ディスクのトラックを横切る際に生成されるトラック横断信号を生成するトラック横断信号生成手段と、前記トラック横断信号の周波数を検出するトラック横断信号周波数検出手段と、前記トラック横断信号周波数検出手段により検出されたトラック横断信号の検出周波数を出力する際の所定の周波数範囲を設定する周波数設定手段と、を備え、前記振幅測定手段は、前記周波数設定手段により設定された所定の周波数範囲におけるトラック横断信号の検出周波数を受け、該所定の周波数範囲にある場合の、前記第１の反射光量信号の最大値と最小値により前記第１の反射光量信号の最大振幅を測定するものとしたので、トラック横断信号と該トラック横断信号の周波数とを基に、短時間でトラッキング位置誤差信号の最大と最小振幅を検出して、フォーカスバランス調整を行うことにより、短時間で精度良く光ディスクへのデータ記録を行うことができ、また、未記録ディスクに対するフォーカスバランス調整を簡素な構成で実施できるためコストを抑えることができるという効果が得られる。
【００２３】
また、本発明（請求項７）にかかる光ディスク装置によれば、請求項１記載の光ディスク装置において、前記光ディスクからの反射光に基づいて、レーザスポットが前記光ディスクのトラックを横切る際に生成されるトラック横断信号を生成するトラック横断信号生成手段と、前記トラック横断信号の周波数を検出するトラック横断信号周波数検出手段と、前記トラック横断信号周波数検出手段により検出されたトラック横断信号の検出周波数を出力する際の所定の周波数範囲を設定する周波数設定手段と、を備え、前記振幅測定手段は、前記周波数設定手段により設定された所定の周波数範囲におけるトラック横断信号の検出周波数を受け、該所定の周波数範囲にある場合の、前記第１の反射光量信号の最大値と最小値を複数回求め、それぞれの平均値により前記第１の反射光量信号の最大振幅を測定するものとしたので、トラッキング誤差位置信号にノイズが乗った場合にも該ノイズの影響を受けにくくすることができ、安定してトラッキング誤差位置信号の振幅の測定が行えるため、精度よくフォーカスバランス調整を行うことができる効果が得られる。
【００２４】
また、本発明（請求項８）にかかる光ディスク装置によれば、請求項１記載の光ディスク装置において、前記振幅測定手段は、設定された任意の時間内の最大値と最小値により前記第１の反射光量信号の最大振幅を測定するものとしたので、設定時間内のトラッキング位置誤差信号の振幅を検出して、フォーカスバランス調整を行うことにより、精度良く光ディスクへのデータ記録を行うことができ、また、未記録ディスクに対するフォーカスバランス調整を簡素な構成で実施できるためコストを抑えることができるという効果が得られる。
【００２５】
また、本発明（請求項９）にかかる光ディスク装置によれば、請求項１から８のいずれかに記載の光ディスク装置において、前記光ディスクからの反射光量を加算することで全反射光量信号を生成する全反射光量信号生成手段を備え、前記振幅測定手段は、前記全反射光量信号が、ある一定レベル以上になっている時に前記第１の反射光量信号の振幅測定を行うものとしたので、トラッキング位置誤差信号の振幅の誤測定を防止することができるという効果が得られる。
【発明を実施するための最良の形態】
【００２６】
（実施の形態１）
まず、本発明の実施の形態１にかかる光ディスク装置について、図面を参照しながら説明する。
【００２７】
図１は本発明の実施の形態１にかかる光ディスク装置の構成例を示し、図１において、１はディスク、２はディスク１を回転させるためのスピンドルモータ、３はディスク１表面の情報を読み書きするためのピックアップ、４はピックアップ３の信号を検出する光検出器、５は光検出器４の信号をもとにしてトラッキング位置の誤差信号を生成するトラッキング位置誤差信号生成手段、６は光検出器４の信号をもとにしてピックアップ３のフォーカス位置の誤差信号を生成するフォーカス位置誤差信号生成手段、７はトラッキング位置誤差信号の最大振幅の測定を行うディスク回転信号による最大振幅測定手段、８は測定回転数設定手段、９はフォーカス位置誤差信号生成手段６の出力を受けてフォーカス制御を行うフォーカス制御手段である。
【００２８】
上記トラッキング位置誤差信号は、照射されたレーザー光の焦点が光ディスク１に合っている時に検出され、焦点が合ってないときには該トラッキング位置誤差信号は検出されない。トラッキング位置誤差信号は、光ディスク１からの反射光を基に生成され、焦点が最もよく合っている時にその振幅レベルが最大となる特性を有する。本発明では、その性質を利用し、生成されたトラッキング位置誤差信号の振幅レベルを上記最大振幅測定手段７により検出して、その振幅が最大になるように未記録ディスクのフォーカスバランス調整を行うものである。
【００２９】
上記ディスク１は、スピンドルモータ２により回転され、ディスク１上のデータを読み取るためにピックアップ３から出力されるレーザー光の焦点をディスク面上に合わせ、かつ、ディスクにらせん状に配置されたトラックに追従するように、フォーカス制御、トラッキング制御が行われる。
【００３０】
上記トラッキング制御では、ディスク１からの反射光を光検出器４で検出し、検出された反射光をトラッキング位置誤差信号生成手段５で加算、あるいは減算して、第１の反射光量信号であるトラッキング位置誤差信号を生成し、トラッキング制御を行う。また、フォーカス制御では、同様に検出された反射光をフォーカス位置誤差信号生成手段６で、トラッキング位置誤差信号とは別の方法で、加算、あるいは減算することで第２の反射光量信号であるフォーカス位置誤差信号を生成し、フォーカス制御を行う。
【００３１】
上記ディスク回転信号（図２上段参照）による最大振幅測定手段７では、トラッキング位置誤差信号生成手段５で生成されたトラッキング位置誤差信号と、スピンドルモータ２より得られるディスク回転信号とが入力され、トラッキング位置誤差信号の最大振幅の測定を行う。具体的には、ディスク１への焦点を粗くてもよいので合わせておくと、ディスク１が回転している間、ディスク１の偏芯等の影響によりレーザースポットがトラックを横切るため、トラッキング位置誤差信号が図２の中段のように出力される。このようにトラッキング位置誤差信号が出力されるため、ディスク回転信号を基に、ディスク１が１回転以上回転する間のトラッキング位置誤差信号の最大値と最小値の測定を行うことができ、最大振幅の測定を行う。なお、測定する回転数の設定は、測定回転数設定手段８により設定することができ、測定中で最大の振幅をフォーカスバランス調整に使用する。
【００３２】
前記ディスク回転信号による最大振幅測定手段７により得られる最大振幅が最大になるように、フォーカス位置誤差信号生成手段６にフォーカスバランス値の設定を行い、最適なフォーカスバランス値を求めるというフォーカスバランス調整を行う。前記フォーカスバランス調整後、生成されたフォーカス位置誤差信号を用いてフォーカス制御手段９により、ピックアップ３の制御を行う。
【００３３】
また、同構成で最大振幅測定方法を変えた変形例として、図２の下段のように、ディスクが１回転以上回転している間に、ディスクの１回転毎の最大値と最小値を求め、各回転毎の最大値の平均値、また各回転毎の最小値の平均値により、最大振幅の測定を行うことも可能である。
【００３４】
前記ディスク回転信号による最大振幅測定手段７により得られる最大振幅が最大になるように、フォーカス位置誤差信号生成手段６にフォーカスバランス値の設定を行い、最適なフォーカスバランス値を求めるというフォーカスバランス調整を行う。前記フォーカスバランス調整後、生成されたフォーカス位置誤差信号を用いフォーカス制御手段９により、ピックアップ３の制御を行う。
【００３５】
本実施例によれば、レーザー光の焦点が光ディスク１に合っている時に検出されるトラッキング位置誤差信号の振幅レベルを検出する最大振幅測定手段７を設け、その振幅が最大になるようにフォーカス制御手段９を制御して未記録ディスクのフォーカスバランスを調整するようにしたので、簡素な構成でフォーカスバランス調整を行うことができ、未記録ディスクへのデータ記録を精度良く行うことができる。
【００３６】
また、最大振幅測定方法として、ディスクが１回転以上回転している間に、ディスクの１回転毎の最大値と最小値を求め、各回転毎の最大値と最小値の平均値を利用することにより、トラッキング位置誤差信号にノイズが乗った場合にも影響を受けにくく、安定に振幅の測定を行うことができ、フォーカスバランス調整を実施できるため、未記録ディスクへのデータ記録を精度良く行うことができる。
【００３７】
なお、本実施の形態１において、図９に示すように、光ディスク１からの反射光量を加算することで全反射光量信号を生成する全反射光量信号生成手段１９を設置し、全反射光量信号の信号レベルがあるレベル以上になった時に、ディスク回転信号による最大振幅測定手段７において最大振幅を測定するように構成することも可能である。全反射光量信号は光ディスク１からの反射光量を加算することで生成しているので、そのレベルが低いとトラッキング位置誤差信号が正常に出力されないため、この構成にすることで、トラッキング位置誤差信号の振幅の誤測定を防ぐことが可能である。
【００３８】
（実施の形態２）
次に、本発明の実施の形態２にかかる光ディスク装置について、図面を参照しながら説明する。
【００３９】
図３は本実施の形態２にかかる光ディスク装置の構成例を示し、図３において、図１と同一符号は同一または相当部分を示し、図１に示した構成との違いは、光検出器４からの信号を元にトラック横断信号を生成するトラック横断信号生成手段１０が新たに設けられ、ディスク回転信号による最大振幅測定手段７に代えて、トラック横断信号から最大振幅を求める最大振幅測定手段１１、及び測定回転数設定手段８に代えて測定本数設定手段１２が設けられている点である。
【００４０】
本実施の形態では、実施の形態１と同様に、トラッキング位置誤差信号の最大振幅の測定を行うが、ディスクの反射光により生成されるトラック横断信号を使用する点が実施の形態１と異なることを特徴とするものである。
【００４１】
具体的には、ディスクへの焦点を粗くてもよいので合わせておくと、ディスクが回転している間、ディスクの偏芯等の影響によりレーザースポットがトラックを横切るため、トラッキング位置誤差信号が図４の中段のように出力される。また、同時にトラックを横切っているため、トラック横断信号が図４の上段のようなトラッキング位置誤差信号との位相関係で出力される。トラック横断信号による最大振幅測定手段１１では、前記トラック横断信号を利用し、所定本数のトラックを横切る間のトラッキング位置誤差信号の最大値と最小値の測定を行い、最大振幅の測定を行う。なお、測定するトラック本数の設定は、測定本数設定手段１２により設定でき、測定中で最大の振幅をフォーカスバランス調整に使用する。
【００４２】
前記トラック横断信号による最大振幅測定手段１１により得られる最大振幅が最大になるように、フォーカス位置誤差信号生成手段６にフォーカスバランス値の設定を行い、最適なフォーカスバランス値を求めるというフォーカスバランス調整を行う。前記フォーカスバランス調整後、生成されたフォーカス位置誤差信号を用いフォーカス制御手段９により、ピックアップ３の制御を行う。
【００４３】
また、同構成で最大振幅測定方法を変えた変形例として、図４の下段のように、トラックを１本以上横切っている間に、トラック１本分の横断毎に最大値と最小値を求め、各トラック横断毎の最大値の平均値、また各トラック横断毎の最小値の平均値により、最大振幅の測定を行うことも可能である。
【００４４】
前記トラック横断信号による最大振幅測定手段１１により得られる最大振幅が最大になるように、フォーカス位置誤差信号生成手段６にフォーカスバランス値の設定を行い、最適なフォーカスバランス値を求めるというフォーカスバランス調整を行う。前記フォーカスバランス調整後、生成されたフォーカス位置誤差信号を用いフォーカス制御手段９により、ピックアップ３の制御を行う。
【００４５】
本実施の形態２にかかる光ディスク装置によれば、光検出器４からの信号を元にトラック横断信号を生成するトラック横断信号生成手段１０と、トラック横断信号から最大振幅を求める最大振幅測定手段１１と、測定本数設定手段１２を設け、ディスクの反射光により生成されるトラック横断信号からトラッキング位置誤差信号の最大振幅の測定を行うようにしたので、簡素な構成でフォーカスバランス調整を行うことができ、未記録ディスクへのデータ記録を精度良く行うことができる。
【００４６】
また、トラックを１本以上横切っている間に、トラック１本分の横断毎に最大値と最小値を求め、各トラック横断毎の最大値と最小値の平均値を利用することにより、トラッキング位置誤差信号にノイズが乗った場合にも影響を受けにくく、安定に振幅測定を行うことができ、フォーカスバランス調整を実施できるため、未記録ディスクへのデータ記録を精度良く行うことができる。
【００４７】
なお、本実施の形態２において、図１０に示すように、光ディスクからの反射光量を加算することで全反射光量信号を生成する全反射光量信号生成手段１９を設置し、全反射光量信号の信号レベルがあるレベル以上になった時に、トラック横断信号による最大振幅測定手段１１において最大振幅を測定することも可能である。全反射光量信号は光ディスクからの反射光量を加算することで生成しているので、そのレベルが低いとトラッキング位置誤差信号が正常に出力されないため、この構成にすることで、トラッキング位置誤差信号の振幅の誤測定を防ぐことが可能である。
【００４８】
（実施の形態３）
次に、本発明の実施の形態３にかかる光ディスク装置について、図面を参照しながら説明する。
図７は本実施の形態３にかかる光ディスク装置の構成例を示し、図５において図３と同一符号は同一、または相当部分を示し、図３に示した実施の形態２との違いは、トラック横断信号生成手段１０で生成されるトラック横断信号を入力とし、周波数設定手段１４で設定された周波数範囲にトラック横断信号の周波数が入っているかの検出を行う周波数検出手段１３を備え、周波数検出手段１３で得られた周波数検出信号を周波数検出信号による最大振幅測定手段１５に入力するようにしている点である。
【００４９】
本実施の形態３では、上記各実施の形態と同様に、トラッキング位置誤差信号の最大振幅の測定を行うが、トラック横断信号の周波数を使用するようにしている点が各実施の形態と異なることを特徴とするものである。
【００５０】
具体的には、ディスク１への焦点を粗くてもよいので合わせておくと、ディスク１が回転している間、ディスク１の偏芯等の影響によりレーザースポットがトラックを横切るため、トラッキング位置誤差信号が図６（ｂ）中段のように出力される。また、同時にトラックを横切っているため、トラック横断信号が図６（ｂ）上段のようなトラッキング位置誤差信号との位相関係で出力される。
【００５１】
前記トラック横断信号の周波数を周波数検出手段１３で測定し、図６（ａ）に示すように、その周波数が周波数設定手段１４で設定された周波数範囲内に入っていれば、周波数検出信号を出力し、そのタイミングでトラッキング位置誤差信号の最大値と最小値の測定を行い、最大振幅の測定を行う。
【００５２】
具体的には、図６（ｂ）に示すように、周波数検出信号のタイミングから最初の最大値と最小値の測定を行い、測定する設定回数中で最大振幅を求める。なお、測定する回数の設定は、測定回数設定手段１６により設定でき、測定中で最大の振幅をフォーカスバランス調整に使用する。
【００５３】
前記周波数検出信号による最大振幅測定手段１５により得られる最大振幅が最大になるように、フォーカス位置誤差信号生成手段６にフォーカスバランス値の設定を行い、最適なフォーカスバランス値を求めるというフォーカスバランス調整を行う。前記フォーカスバランス調整後、生成されたフォーカス位置誤差信号を用いフォーカス制御手段９により、ピックアップ３の制御を行う。
【００５４】
また、同構成で最大振幅測定方法を変えた変形例として、図６（ｂ）下段に示すように、トラック横断信号の周波数が設定された範囲内となった時に、毎回、最大値と最小値を求め、それぞれの最大値の平均値、またそれぞれの最小値の平均値により、最大振幅の測定を行うことも可能である。
【００５５】
前記周波数検出信号による最大振幅測定手段１５により得られる最大振幅が最大になるように、フォーカス位置誤差信号生成手段６にフォーカスバランス値の設定を行い、最適なフォーカスバランス値を求めるというフォーカスバランス調整を行う。前記フォーカスバランス調整後、生成されたフォーカス位置誤差信号を用いフォーカス制御手段９により、ピックアップ３の制御を行う。
【００５６】
このように、本実施の形態によれば、トラック横断信号生成手段１０で生成されるトラック横断信号が、周波数設定手段１４で設定された周波数範囲に入っているかの検出を行う周波数検出手段１３を設け、周波数検出手段１３で得られた周波数検出信号を周波数検出信号による最大振幅測定手段１５に入力して、トラッキング位置誤差信号の最大振幅の測定を行うようにしたので、フォーカスバランス調整開始後、すぐにトラック横断信号の周波数が設定された周波数範囲内となれば、短時間で、トラッキング位置誤差信号の最大値と最小値の測定を行うことができるため、短時間でフォーカスバランス調整を行うことができ、未記録ディスクへのデータ記録を精度良く行うことができる。
【００５７】
また、トラック横断信号の周波数が設定された範囲内となった時に、毎回、最大値と最小値を求め平均値を利用することにより、トラッキング位置誤差信号にノイズが乗った場合にも影響を受けにくく、安定に振幅測定を行うことができ、フォーカスバランス調整を実施できるため、未記録ディスクへのデータ記録を精度良く行うことができる。
【００５８】
なお、本実施の形態３では、トラック横断信号の周波数により最大振幅の測定を行っているが、トラック横断信号の周波数とトラッキング位置誤差信号の周波数は同周波数であるため、トラック横断信号の代わりにトラッキング位置誤差信号を用いて最大振幅の測定を行うことも可能である。
【００５９】
また、本実施の形態３において、図１１に示すように、光ディスクからの反射光量を加算することで全反射光量信号を生成する全反射光量信号生成手段１９を設置し、全反射光量信号の信号レベルがあるレベル以上になった時に、周波数検出信号による最大振幅測定手段１５において最大振幅を測定することも可能である。全反射光量信号は光ディスクからの反射光量を加算することで生成しているので、そのレベルが低いとトラッキング位置誤差信号が正常に出力されないため、この構成にすることで、トラッキング位置誤差信号の振幅の誤測定を防ぐことが可能である。
【００６０】
（実施の形態４）
次に、本発明の実施の形態４にかかる光ディスク装置について、図面を参照しながら説明する。
【００６１】
図７は本実施の形態２にかかる光ディスク装置の構成例を示し、図７において、図１と同一符号は同一または相当部分を示し、図１に示した構成との違いは、測定回転数設定手段８に代えて、測定時間設定手段１８、及び、ディスク回転信号による最大振幅測定手段７に代えて、測定時間設定による最大振幅測定手段１７が設けられている点である。
【００６２】
本実施の形態では、上記各実施の形態と同様に、トラッキング位置誤差信号の最大振幅の測定を行うが、測定時間設定を使用する点が各実施の形態と異なることを特徴とするものである。
【００６３】
具体的には、ディスクへの焦点を粗くてもよいので合わせておくと、ディスクが回転している間、ディスクの偏芯等の影響によりレーザースポットがトラックを横切るため、トラッキング位置誤差信号が図８のように出力される。測定時間設定による最大振幅測定手段１７では、測定時間設定手段１８により設定された測定時間の間のトラッキング位置誤差信号の最大値と最小値の測定を行い、最大振幅の測定を行う。なお、測定中で最大の振幅をフォーカスバランス調整に使用する。
【００６４】
前記測定時間設定による最大振幅測定手段１７により得られる最大振幅が最大になるように、フォーカス位置誤差信号生成手段６にフォーカスバランス値の設定を行い、最適なフォーカスバランス値を求めるというフォーカスバランス調整を行う。前記フォーカスバランス調整後、生成されたフォーカス位置誤差信号を用いフォーカス制御手段９により、ピックアップ３の制御を行う。
【００６５】
本実施の形態４にかかる光ディスク装置によれば、測定時間設定による最大振幅測定手段１７と、測定時間設定手段１８を設け、測定時間内のトラッキング位置誤差信号の最大振幅の測定を行うようにしたので、簡素な構成でフォーカスバランス調整を行うことができ、未記録ディスクへのデータ記録を精度良く行うことができる。
【００６６】
なお、本実施の形態４において、図１２に示すように、光ディスクからの反射光量を加算することで全反射光量信号を生成する全反射光量信号生成手段１９を設置し、全反射光量信号の信号レベルがあるレベル以上になった時に、測定時間設定による最大振幅測定手段１７において最大振幅を測定することも可能である。全反射光量信号は光ディスクからの反射光量を加算することで生成しているので、そのレベルが低いとトラッキング位置誤差信号が正常に出力されないため、この構成にすることで、トラッキング位置誤差信号の振幅の誤測定を防ぐことが可能である。
【産業上の利用可能性】
【００６７】
本発明にかかる光ディスク装置は、トラッキング位置誤差信号を用いたフォーカスバランス調整機能を有し、未記録ディスクに対するフォーカスバランス調整を行う場合に有用である。また光ディスク全般のフォーカスバランス調整としても応用できる。
【図面の簡単な説明】
【００６８】
【図１】本発明の実施の形態１における光ディスク装置の構成を表す図
【図２】上記実施の形態１にかかる光ディスク装置の信号波形図
【図３】本発明の実施の形態２における光ディスク装置の構成を表す図
【図４】上記実施の形態２にかかる光ディスク装置の信号波形図
【図５】本発明の実施の形態３における光ディスク装置の構成を表す図
【図６（ａ）】上記実施の形態３にかかる光ディスク装置の動作を説明するための信号波形図
【図６（ｂ）】上記実施の形態３にかかる光ディスク装置の信号波形図
【図７】本発明の実施の形態４における光ディスク装置の構成を表す図
【図８】上記実施の形態４にかかる光ディスク装置の信号波形図
【図９】上記実施の形態１にかかる光ディスク装置の変形例を示す構成図
【図１０】上記実施の形態２にかかる光ディスク装置の変形例を示す構成図
【図１１】上記実施の形態３にかかる光ディスク装置の変形例を示す構成図
【図１２】上記実施の形態４にかかる光ディスク装置の変形例を示す構成図
【符号の説明】
【００６９】
１    ディスク
２    スピンドルモータ
３    ピックアップ
４    光検出器
５    トラッキング位置誤差信号生成手段
６    フォーカス位置誤差信号生成手段
７    ディスク回転信号による最大振幅測定手段
８    測定回転数設定手段
９    フォーカス制御手段
１０    トラック横断信号生成手段
１１    トラック横断信号による最大振幅測定手段
１２    測定本数設定手段
１３    周波数検出手段
１４    周波数設定手段
１５    周波数検出信号による最大振幅測定手段
１６    測定回数設定手段
１７    測定時間設定による最大振幅測定手段
１８    測定時間設定手段
１９    全反射光量信号生成手段
【図１】
2005166080.tif 000003
【図２】
2005166080.tif 000004
【図３】
2005166080.tif 000005
【図４】
2005166080.tif 000006
【図５】
2005166080.tif 000007
【図６（ａ）】
2005166080.tif 000008
【図６（ｂ）】
2005166080.tif 000009
【図７】
2005166080.tif 000010
【図８】
2005166080.tif 000011
【図９】
2005166080.tif 000012
【図１０】
2005166080.tif 000013
【図１１】
2005166080.tif 000014
【図１２】
2005166080.tif 000015